(57)【要約】【課題】従来よりも使用し易い長尺物繰り出し装置を提供する。【解決手段】本発明に係る一の実施の形態の長尺物繰り出し装置は、長手方向に延在する少なくとも１つの平面に実質的に該長手方向に渡って延在する凹部が形成された長尺物と、一端に形成された開口から該長尺物を繰り出し可能に収容する長尺状のケースと、該ケース内で長手方向に移動可能に構成され、該長尺物を保持するホルダとを備え、該長尺物の長手方向に延在する少なくとも１つの平面は実質的に該長手方向に渡って該長尺状のケースの内周壁に近接又は接触し、該長尺物の凹部は実質的に該長手方向に渡って該長尺状のケースの内周壁に近接又は接触することがない。【選択図】図２
2018103423.tif 000002
【特許請求の範囲】
【請求項１】
長手方向に延在する少なくとも１つの平面に実質的に該長手方向に渡って延在する凹部が形成された長尺物と、
一端に形成された開口から前記長尺物を繰り出し可能に収容する長尺状のケースと、
前記ケース内で長手方向に移動可能に構成され、前記長尺物を保持するホルダと
を備え、
前記長尺物の長手方向に延在する少なくとも１つの平面は実質的に該長手方向に渡って前記長尺状のケースの内周壁に近接又は接触し、前記長尺物の凹部は実質的に該長手方向に渡って該長尺状のケースの内周壁に近接又は接触することがないことを特徴とする長尺物繰り出し装置。
【請求項２】
前記長尺物は相互に実質的に直交する４つの前記平面を有し、前記凹部が長手方向における各平面にそれぞれ形成されることにより、該長尺物の四隅に長手方向に延在する稜線が形成されることを特徴とする請求項１記載の長尺物繰り出し装置。
【請求項３】
前記ホルダは、
前記ケース外に突出する操作部と、
前記長尺物を保持する保持部と、
前記ホルダの長手方向への移動を規制可能に前記ケースと係合する突起と、
前記操作部の下方に配設されると共に該操作部および前記突起に連結され、該操作部の押圧に応じて下方に圧縮されることにより前記ケースと該突起との係合を解除する弾性係合部と、
前記保持部と前記弾性係合部との間に介在し、該保持部を軸線方向に対して非軸線対象に弾性支持する弾性連結部と
を備えることを特徴とする請求項１又は２記載の長尺物繰り出し装置。
【請求項４】
前記保持部は前記長尺物を挟持する一対の挟持板と、該一対の挟持板を支持して上下方向に延在する板状の連結板とを有し、該連結板と前記弾性係合部と前記弾性連結部とは一連の湾曲した板として一体に形成されることを特徴とする請求項３記載の長尺物繰り出し装置。
【請求項５】
前記凹部は前記長尺物の互いに対向する平面にそれぞれ形成され、前記保持部は前記長尺物の対向する２つの凹部それぞれを挟持することを特徴とする請求項４記載の長尺物繰り出し装置。
【請求項６】
前記ケースの開口には、前記長尺物の凹部の形状に対応して中心軸線に向けて突出する凸部が形成されることを特徴とする請求項１〜５のいずれか１項に記載の長尺物繰り出し装置。
【発明の詳細な説明】
【技術分野】
【０００１】
本発明の実施形態は、字消し、色芯等の長尺物を繰り出すことができる長尺物繰り出し装置に関する。
【背景技術】
【０００２】
従来、この種の装置としては、例えば、下記特許文献１に示されるものが知られている。この長尺物繰り出し装置は、案内溝が形成された長尺状のケース内で長手方向に移動可能に挿設されたホルダを備えており、このホルダには長尺物を保持する保持部と案内溝から外方へ露出する操作部とが設けられている。ユーザは、ホルダの操作部を長手方向に沿ってケースの前後方向へスライドさせることにより、保持部をスライドする任意の方向へ移動させ、長尺物を前方へ繰り出し、あるいはケース内に収容することができる。
【先行技術文献】
【特許文献】
【０００３】
【特許文献１】特開２０００−１４１９８９号公報（例えば、段落０００８‐０００９等参照。）
【発明の概要】
【発明が解決しようとする課題】
【０００４】
従来の長尺物繰り出し装置では、長尺物が所定の弾性を有して弾性変形してしまうものであると、長尺物を繰り出す際に、長尺物が後方より保持部に押圧されて弾性変形し、長尺物の側面がケースの内周壁に接触して、長尺物を繰り出す際の摺動抵抗が増してしまうというという問題があった。この長尺物を繰り出す際の摺動抵抗を低減するため、長尺状のケースの内周壁は、その先端部の開口を除き、長尺物の側面に対して所定の間隔を有して離間するように形成されていた。
【０００５】
一方、長尺状のケースの内周壁と長尺物の側面との間に所定の間隔を有する場合には、長尺物をケースから繰り出した状態で使用する際に、長尺物がケース内で軸線方向と直交する方向に移動してしまうことがあった。この場合には、長尺物繰り出し装置から繰り出した長尺物の操作性をさらに向上することが困難であった。このため、長尺物を繰り出す際の摺動抵抗を低減しつつ、使用の際の長尺物の軸線方向と直交する方向への移動を低減した、使用し易い長尺物繰り出し装置を提供することが求められていた。
【０００６】
本発明は上述した問題点を解決するためになされたものであり、従来よりも使用し易い長尺物繰り出し装置を提供することを目的とする。
【課題を解決するための手段】
【０００７】
上述した課題を解決するため、本発明に係る一の態様の長尺物繰り出し装置は、長手方向に延在する少なくとも１つの平面に実質的に該長手方向に渡って延在する凹部が形成された長尺物と、一端に形成された開口から該長尺物を繰り出し可能に収容する長尺状のケースと、該ケース内で長手方向に移動可能に構成され、該長尺物を保持するホルダとを備え、該長尺物の長手方向に延在する少なくとも１つの平面は実質的に該長手方向に渡って該長尺状のケースの内周壁に近接又は接触し、該長尺物の凹部は実質的に該長手方向に渡って該長尺状のケースの内周壁に近接又は接触することがない。
【発明の効果】
【０００８】
本発明に係る態様によれば、従来よりも使用し易い長尺物繰り出し装置を提供することができる。
【図面の簡単な説明】
【０００９】
【図１】図１は、本実施の形態に係る長尺物繰り出し装置を示す平面図である。
【図２】図２は、本実施の形態に係る長尺物繰り出し装置を図１のＡ−Ａ線で切断して側面の方向（図１のＡ‐Ａ矢印方向）より見て示す断面図である。
【図３】図３は、本実施の形態に係る長尺物繰り出し装置が備える字消しを示す平面図である。
【図４】図４は、本実施の形態の字消しをその先端部の方向より見て示す図である。
【図５】図５は、本実施の形態に係る長尺物繰り出し装置が備えるケースを示す平面図である。
【図６】図６は、本実施の形態のケースを側面より見て示す側面図である。
【図７】図７は、本実施の形態のケースを、図５のＢ−Ｂ線で切断して側面の方向（図５のＢ‐Ｂ矢印方向）より見て示す断面図である。
【図８】図８は、本実施の形態のケースを、その先端部に形成された開口の方向より見て示す図である。
【図９】図９は、本実施の形態に係る長尺物繰り出し装置が備えるホルダを示す平面図である。
【図１０】図１０は、本実施の形態のホルダを側面より見て示す側面図である。
【発明を実施するための形態】
【００１０】
以下、本発明の複数の実施の形態について図面を参照しつつ説明する。一実施の形態においては、長尺物として字消しの一種であるプラスティック字消しを備える長尺物繰り出し装置を例にとり説明を行う。なお、本明細書及び図面において、実質的に同一の機能を有する構成要素については、同一の符号を付することにより重複説明を省略する。
【００１１】
図１は、本実施の形態に係る長尺物繰り出し装置を示す平面図であり、図２は、本実施の形態に係る長尺物繰り出し装置を図１のＡ−Ａ線で切断して側面の方向（図１のＡ‐Ａ矢印方向）より見て示す断面図である。図１および図２に示されるように、本実施の形態に係る長尺物繰り出し装置１は、長尺状（長尺形状）の字消し１０と、字消し１０を収容する長尺状のケース２０と、ケース２０の長手方向に移動可能に構成されて字消し１０を保持するホルダ３０と、ケース２０の後端部を閉塞するキャップ４０と、を備える。なお、「長尺」とは短手方向よりも長手方向に長いことをいう。長尺物は、通常、長手方向と直交する方向に変形可能な弾性を有する。図２においては、ケース２０のみが断面で示されており、字消し１０およびホルダ３０はそれぞれ側面が示されている。以下、字消し１０、ケース２０、およびホルダ３０について詳細に説明する。
【００１２】
（字消し１０）
図３は、本実施の形態に係る長尺物繰り出し装置が備える字消しを示す平面図であり、図４は、本実施の形態の字消しをその端部の方向より見て示す図である。図３および図４に示されるように、字消し１０はその外形が略四角柱状に形成され、その長手方向に延在する各面（上面、下面、両側面）に該長手方向に渡って延在するよう凹部１２がそれぞれ形成される。各面は相互に実質的に直交する。このように各面および凹部１２が形成されることにより、字消し１０の長手方向（軸線方向）と直交する方向における断面の四隅には、３つの角部を有して対角線方向に向けて突出する凸部（角柱突起１４）がそれぞれ形成される。字消し１０は、例えば、長手方向への押し出し成形によって製造することができる。
【００１３】
後に詳述するように、角柱突起１４の側面がケース２０の内周壁と近接又は接触する一方で、先端部の開口２２を除き、凹部１２はケース２０の内周壁と近接又は接触することがない。このため、長尺物１０をケース２０から繰り出す際の摺動抵抗を低減しつつ、使用の際の長尺物１０の軸線方向と直交する方向への移動を低減した、使用し易い長尺物繰り出し装置１を提供することができる。さらに、角柱突起１４は軸線方向に延在する複数の稜線部を有し、該稜線部によって比較的狭い接触範囲と比較的高い接触圧力で紙面に接触して字消しをおこなうことができる。このため、質の高い字消しを容易におこなうことができる。なお、軸線方向に延在する稜線部は軸線方向と直交する方向の断面形状においては角部に対応する。この字消し１０の角部は成形の際に生じる自然な丸みを含むことができ、実質的に角部として形成されていればよい。
【００１４】
（ケース２０）
図５は、本実施の形態に係る長尺物繰り出し装置が備えるケースを示す平面図であり、図６は、本実施の形態のケースを側面より見て示す側面図である。図７は、本実施の形態のケースを、図５のＢ−Ｂ線で切断して側面の方向（図５のＢ‐Ｂ矢印方向）より見て示す断面図であり、図８は、本実施の形態のケースを、その先端部に形成された開口の方向より見て示す図である。
【００１５】
図５〜図８に示されるように、ケース２０は、字消し１０の角柱突起１４の外側面の形状に合わせた略四角筒状に形成される。図５〜図７の左側に示されるケース２０の先端部には開口２２が、図５〜図７の右側に示される後端部には開口２４がそれぞれ形成されており、これらの開口にはそれぞれ字消し１０が挿通可能である。ケース２０の前部の側面には滑り止めの凹凸が形成されており、後端部はキャップ４０（図１及び図２参照）内に嵌入可能であるようにその外周が小さく形成されている。適宜、開口２２が形成されたケース２０の先端部側を本実施の形態に係る長尺物繰り出し装置１の中心軸線方向（軸線方向）における前方、開口２４が形成された後端部側を後方と称して以後説明を行う。
【００１６】
ケース２０の上面には、長手方向に沿って延在する案内溝２６が形成され、案内溝２６には、溝幅が広い係止孔２６２と溝幅が狭い非係止孔２６４とが交互に連続的に形成される。適宜、この溝幅の方向（平面図において軸線方向と直交する方向）を幅方向と称して以後説明を行う。案内溝２６の先端は開口２２に達しておらず、後端は開口２４に達している。
【００１７】
図８に示されるように、開口２２（及びその縁）を画成するケース２０の内周壁のそれぞれには、ケース２０の中心軸線に向かって突出する凸部２８が形成される。この凸部２８の形状は、字消し１０の凹部１２の形状に対応して形成され、凹部１２との間に僅かな隙間を有して近接するように形成される。字消し１０は、その使用時に軸線方向と直交する方向への変形を生じるため、ケース２０の開口２２では、例外的に凹部１２に近接して凸部２８が形成される。字消し１０を使用する際に、字消し１０は軸線方向と直交する方向へ弾性変形するが、凸部２８が字消し１０の凹部１２に当接して字消し１０のさらなる変形を抑制する。
【００１８】
なお、本実施の形態では、字消し１０の長手方向に延在する各面の中央に凹部１２を形成している。この場合には、字消し１０の軸線方向と直交する任意の方向への曲げ変形に対して字消し１０の断面二次モーメントを効果的に大きく維持したまま字消し１０のケース２０に対する接触面積を減少させることができる。このため、字消し１０の曲げ変形を抑制しながら、字消し１０を繰り出す際の字消し１０とケース２０との摺動抵抗を減少させることができる。字消し１０の凹部１２はケース２０の内周壁と近接又は接触しない。字消し１０の凹部１２を実質的にその長手方向に渡ってケース２０の内周壁と近接又は接触しないように構成することで、字消し１０をケース２０から繰り出す際の摺動抵抗を低減することができる。
【００１９】
字消し１０の凹部１２がケース２０の内周壁と「実質的にその長手方向に渡って近接又は接触しない」とは、例えば、字消し１０の長手方向の８０％以上に渡る範囲において近接又は接触しないことをいい、好ましくは字消し１０の長手方向の９０％以上に渡る範囲において、さらに好ましくは字消し１０の長手方向の９５％以上に渡る範囲において近接又は接触しないことをいう。本実施の形態の長尺物繰り出し装置１では、開口２２のみにおいて字消し１０の凹部１２がケース２０の内周壁と近接し、他の部分では、字消し１０の凹部１２はケース２０の内周壁とは近接又は接触しない。
【００２０】
一方、字消し１０の角柱突起１４の外側面は、ケース２０の内周壁に対して、実質的にその長手方向に渡って近接又は接触するように構成されている。弾性変形する字消し１０に近接して形成されたケース２０の内周面は、字消し１０が弾性変形した際には字消し１０と当接する。なお、字消し１０の角柱突起１４の外側面がケース２０の内周壁と「実質的にその長手方向に渡って近接又は接触する」とは、例えば、字消し１０の長手方向の８０％以上に渡る範囲において近接又は接触することをいい、好ましくは字消し１０の長手方向の９０％以上に渡る範囲において、さらに好ましくは字消し１０の長手方向の９５％以上に渡る範囲において近接又は接触することをいう。本実施の形態の長尺物繰り出し装置１では、字消し１０の角柱突起１４の外側面は、字消し１０の長手方向に渡ってケース２０の内周壁に対して近接又は接触する。このため、字消し１０を使用する際の字消し１０の軸線方向と直交する方向への移動（ガタツキ）を低減することができる。
【００２１】
このように構成することにより、本実施の形態に係る長尺物繰り出し装置１は従来の長尺物繰り出し装置と比較してその使用がより容易であり、長尺物繰り出し装置１から繰り出した長尺物である字消し１０の操作性がさらに向上されている。
【００２２】
（ホルダ３０）
図９は、本実施の形態に係る長尺物繰り出し装置が備えるホルダを示す平面図であり、図１０は、本実施の形態のホルダを側面より見て示す側面図である。これらの図に示されるように、ホルダ３０は、字消し１０を保持する保持部３１と、ユーザが操作する操作部３２と、ケース２０と係合してホルダ３０を係止する弾性係合部３３と、操作部３２と弾性係合部３３とを連結する挿通板３４と、保持部３１と弾性係合部３３とを連結する弾性連結部３５と、を備える。これらの構成要素は可撓性を有する材料、例えば樹脂材料により一体的に形成される。
【００２３】
保持部３１は、ケース２０内に配置され、対向する２つの挟持板３１２と、該一対の挟持板３１２の後方側端部のそれぞれを連結して支持する連結板３１４とを有する。２つの挟持板３１２は、字消し１０の対向する２つの凹部１２の底面間より僅かに狭い間隔を有して互いに離間されており、その幅は凹部１２の幅より狭く、その厚み（上下方向の寸法）は凹部１２の溝深さよりも小さく形成される。挟持板３１２のそれぞれは２つの凹部１２内に没入して、それらの間で字消し１０を挟持する。挟持板３１２のそれぞれには、字消し１０の脱落を防止するために、互いに対向する面に複数の返しが形成される。「返し」は、保持部３１に対する字消し１０の相対的な後方への移動をその相対的な前方への移動よりも容易とすることにより、字消し１０の挟持をより確実なものとする。
【００２４】
なお、連結板３１４は弓なりに後方に僅かに湾曲して上下方向に延在するように形成される。このように湾曲して形成すると、ホルダ３０のモールド成形後の冷却時において２つの挟持板３１２の先端側端部が互いに離間する方向へ広がることを抑制することができる。また、モールド成形されたホルダ３０が冷却された後においても、２つの挟持板３１２の先端側端部が互いに離間する方向へ広がる変形をしにくいように連結板３１４の変形に異方性を持たせることができる。
【００２５】
操作部３２は、ユーザが操作可能であるように、ケース２０外に突出して配置される。また、ユーザの操作感を良好なものとするために、その後端部が丸められ、先端部側に向かって先細りであり、操作部３２の上面が窪むように湾曲した形状に形成される。さらに、表面に滑り止めとしての凹凸を有するように形成される。
【００２６】
弾性係合部３３は、板状の上板、中板および下板と、上板と中板とを連結する後端の湾曲と、中板と下板とを連結する前端の湾曲とを有し、側方から見て略逆Ｓ字状に形成される。弾性係合部３３は上下方向に大きく弾性変形可能である。下板の後端は上方に向けて湾曲するように形成される。下板の後端をこのように形成すると、ホルダ３０が後退する際に下板の後端がケース２０の内周壁に引っ掛かってしまうことがない。ケース２０の上壁の内周面に当接する弾性係合部３３の上板の上面には、中央の挿通板３２を挟んで対向するように２つの係止突起３３２が形成される。係止突起３３２は、ケース２０の案内溝２６に形成された溝幅の狭い非係止孔２６４には係合することができないが、溝幅の広い係止孔２６２には係合することができる。
【００２７】
弾性係合部３３は、上下方向に圧縮された状態でケース２０内に配置され（図２参照）、ケース２０内で係止突起３３２を常時上方に向けて付勢して、係止突起３３２を係止孔２６２に係合させる。この係合により、ホルダ３０がケース２０に対して前後方向への相対移動不能であるように係止される。一方、操作部３２が下方に向けて押圧されると、弾性係合部３３が圧縮されて弾性変形し、係止突起３３２がケース２０の係止孔２６２から外れるので、ホルダ３０のケース２０への係止が解除される。係止突起３３２とケース２０との係合が解除されると、ホルダ３０はケース２０内とを前後方向に自在に移動可能となる。
【００２８】
弾性係合部３３は、ケース２０内に組み付けられない自由状態（図１０参照）において、前端の湾曲によって中板に連結された下板の後端が下板の前端よりも下方に位置するように形成される。このように弾性係合部３３を形成すると、ホルダ３０をケース２０内に組み付けたときに下板の前端とケース２０の内周壁との接触圧力が下板の後端とケース２０の内周壁との接触圧力と比較して低くなるように構成することができる。このように構成すると、ケース２０内に組み付けられたホルダ３０が前後方向へスライドされる際の下板の前端とケース２０の内周壁との摩擦力を低減することができるから、字消し１０を繰り出す、あるいはケース２０内に収容する際の摺動抵抗を低減することができる。特に、字消し１０を繰り出す際の摺動抵抗を大きく低減することができる。
【００２９】
挿通板３４は、操作部３２の下面と弾性係合部３３の上面とを連結し、案内溝２６の溝幅の狭い非係止孔２６４よりもやや小さい幅を有する平板として形成される。挿通板３４は、案内溝２６を上下方向に貫通し、ケース２０からその上部が突出した状態となるように配置される。挿通板３４は操作部３２に対するユーザのスライド操作に応じてホルダ３０を前後方向にガイドしながら案内溝２６の前後方向にスライド可能である。
【００３０】
弾性連結部３５は、連結板３１４の下端部から後方へ延在する前部と、さらに上方へ延在して弾性係合部３３の上板の先端部（上端部）に連結する後部とを有し、側方から見て略逆Ｌ字状に形成される。弾性連結部３５の幅は連結板３１４および連結係合部３３と同一であり、ケース２０の内周壁の幅方向における離間間隔より小さい。このため、連結板３１４、弾性連結部３５および連結係合部３３の側面はケース２０の内周壁と接触することがなく、字消し１０を繰り出す、あるいはケース２０内に字消し１０を収容する際にホルダ３０の側面とケース２０の内周面との間に摺動抵抗を生じない。さらに、ケース２０内に組み付けられたホルダ３０の保持部３１、弾性係合部３３、および弾性連結部３５は、軸線方向と直交する方向において、字消し１０の最大外形部の断面積よりも小さい断面積の範囲内に収容されるため、ケース２０を小さな断面形状を有するものとすることができる。
【００３１】
（スライド操作）
以上のように構成される長尺物繰り出し装置１では、非使用時に、字消し１０がケース２０内に収容される。ホルダ３０の係止突起３３２がケース２０の案内溝２６の係止孔２６２に係合するよう付勢され、ホルダ３０および字消し１０が前後方向に移動不能に係止される。字消し１０を繰り出す場合には、まず、ホルダ３０の操作部３２をケース２０の中心軸線に向けて押下してホルダ３０の係止突起３３２とケース２０の係止孔２６２との係合を解除する。係止突起３３２と係止孔２６２との係合が解除されると、ホルダ３０がケース２０内を前後方向に移動可能となる。その後、ホルダ３０の操作部３２を前方に向けてスライド操作すると、ホルダ３０の保持部３１が保持する字消し１０をケース２０の先端部の開口２２から繰り出すことができる。操作部３２の押圧を解除して、係止突起３３２を係止孔２６２に再び係合させると、ホルダ３０がケース２０に対して係止され、ケース２０の開口２２から繰り出された字消し１０を使用することができる。
【００３２】
操作部３２を押下しながら前方へスライド操作する際には、ホルダ３０の係止突起３３２がケース２０の係止孔２６２および非係止孔２６４に対して、順次、当接および非当接を繰り返しながら前進する。このため、ユーザはケース２０の係止孔２６２の位置を把握しながらスライド操作をおこなうことができる。
【００３３】
本実施の形態の長尺物繰り出し装置１では、字消し１０は凹部１２を有し、字消し１０の凹部１２が実質的にその長手方向に渡ってケース２０の内周壁と近接又は接触しないように構成される。このため、字消し１０をケース２０から繰り出す際の摺動抵抗が従来の長尺物繰り出し装置の場合よりも低減される。字消し１０をケース２０内に収容する場合も同様である。
【００３４】
（字消しの使用）
本実施の形態では、字消し１０の角柱突起１４の外側面が字消し１０の長手方向に渡ってケース２０の内周壁に対して近接又は接触した状態で字消し１０が使用される。このため、使用の際の字消し１０の軸線方向と直交する方向への移動（ガタツキ）が従来の長尺物繰り出し装置の場合よりも低減される。
【００３５】
さらに、本実施の形態では、ホルダ３０の保持部３１と弾性係合部３３との間に弾性連結部３５が介在する。弾性連結部３５は連結板３１４の下端部と弾性係合部３３の上端部とを連結して、軸線方向において、ホルダ３０の保持部３１を軸線方向に対して非対象に弾性支持する。このように構成すると、字消し１０の使用によって字消し１０軸線方向の後方に向けて荷重が加えられたときに、弾性連結部３５が軸線方向に対して非対象（非軸対象）に弾性変形するように構成することができるため、軸線方向後方への荷重を軸線方向と直交する方向に逃がすことができる。字消し１０の角柱突起１４の外側面はケース２０の内周壁に対して近接又は接触しているから、ホルダ３０の弾性連結部３５が軸線方向に対して非対象に弾性変形すると、字消し１０に軸線方向に加えられた荷重は角柱突起１４の外側面からケース２０の内周壁に逃がされて弾性係合部３３に負荷される軸線方向の荷重が低減される。したがって、係止突起３３２と係止孔２６２との係合が字消し１０の使用によって外れてしまうことを防止することができる。
【００３６】
さらに、本実施の形態では、ホルダ３０の連結板３１４、弾性連結部３５、および弾性係合部３３が１枚の湾曲した板として一体的に形成され、一体の弾性部材として弾性変形するように構成されている。このため、従来の長尺物繰り出し装置が有するホルダよりも大きな変位で弾性変形することができ、さらに長寿命であるホルダ３０を提供することができる。
【００３７】
（組み立て）
上述した長尺物繰り出し装置１を組み立てる場合は、先ず字消し１０の後端部の対向する２つの凹部１２（図２においては上下の凹部１２）をホルダ３０の２つの挟持板３１２の間に嵌合させてホルダ３０に字消し１０を組み付ける。続いて、組み立てられた字消し１０およびホルダ３０をケース２０の後端部の開口２４内に挿入する。ホルダ３０の挿通板３４がケース２０の後端部の開口２４に連通する案内溝２６を上下方向に貫通し、ホルダ３０の弾性係合部３３がケース２０内で上下方向に圧縮された状態で、字消し１０およびホルダ３０がケース２０に組み付けられる。案内溝２６の係止孔２６２が形成されたケース２０上の任意の位置までホルダ３０を移動させると、弾性係合部３３に押圧されて係止突起３３２が係止孔２６２に係合し、ホルダ３０がケース２０に係止される。最後に、キャップ４０をケース２０の後端部に組み付けると、長尺物繰り出し装置１を組み立てることができる。ユーザが容易に字消し１０の交換作業をおこなうことができるように、以上の組立作業およびその逆の手順による分解作業は冶具を用いずに容易に行うことができるように構成されている。
【００３８】
以上説明した本実施の形態では、開口２２に中心軸線に向けて突出する凸部２８を形成するものと説明したが、これに限定するものではなく、他の実施の形態では、凸部２８を設けずともよい。この場合には、字消し１０の軸線方向と直交する方向への曲げ変形の抑制効果は、より大きく、字消し１０の軸線方向と直交する方向の断面形状（断面二次モーメント）及び凸部２８を除くケース２０の内周面による字消し１０の支持に起因するものとすることができる。さらに、凹部１２の先端部の溝を字消し１０の使用により生じる消し屑の逃がし溝とすることができる。この場合には、字消し１０をさらに容易に使用することができる。また、本実施形態では、字消し１０の側面の４面すべてに凹部１２を形成するものと説明したが、字消しとケースの内周壁との摺動抵抗を低減することができる限りにおいて、他の実施の形態では、凹部は字消しの側面の少なくとも一面に形成されるものとしてもよい。
【００３９】
また、以上説明した本実施の形態では、長尺物として字消しを例にとったが、これに限るものではなく、他の実施の形態では、カッタ刃、色芯、着色画材、化粧料等を長尺物に形成して任意の保持部で保持して使用することもできる。また、本実施の形態の長尺物は長手方向と直交する方向の断面形状に角部を有し、長手方向に延在する稜線を有することにより好適に字消し１０を使用することができるものと説明した。しかしながら、他の実施の形態では、長尺物は長手方向と直交する方向の断面形状に角部に代わって所定の半径の丸みを有するものとしてもよい。この場合には、長手方向と直交する方向の四隅に生じるケースの内周面の角部と字消しの稜線部との干渉を回避して、字消しを繰り出す際の字消しとケースとの摺動抵抗をさらに低減することができる。
【００４０】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００４１】
１  長尺物繰り出し装置
１０  字消し
１２  凹部
２０  ケース
２８  凸部
３０  ホルダ
３１  保持部
３１２  挟持板
３１４  連結板
３２  操作部
３３  弾性係合部
３３２  係止突起（突起）
３５  弾性連結部
【図１】
2018103423.tif 000003
【図２】
2018103423.tif 000004
【図３】
2018103423.tif 000005
【図４】
2018103423.tif 000006
【図５】
2018103423.tif 000007
【図６】
2018103423.tif 000008
【図７】
2018103423.tif 000009
【図８】
2018103423.tif 000010
【図９】
2018103423.tif 000011
【図１０】
2018103423.tif 000012